(57)【要約】本発明は、無線通信によりデジタル家電機器を制御するシステムを開示するものである。このシステムは、リモート装置と受信装置を備える。リモート装置は、無線で制御コマンドを送信し、少なくとも２種類の無線通信モードを備える。受信装置は、前記無線通信モードで通信でき、制御コマンドを受信することができる。制御コマンドは、リモート装置により送信され、デジタル家電機器に制御コマンドを実行させることができる。リモート装置は、制御コマンドに基づいて対応する無線通信モードを選択し、選択された無線通信モードにより受信装置と通信する。【選択図】図２
2007529918.tif 000002
【特許請求の範囲】
【請求項１】
電源部と入力部を含んだ、デジタル家電装置を制御するためのリモートコントローラであって、
少なくとも２つの無線通信モードで動作する無線部と、
前記少なくとも２つの無線通信モードから１つを選択する制御部と、
を備え、
前記制御部は、ユーザにより選択された制御コマンドに基づいて前記少なくとも２つの無線通信モードから１つの無線通信モードを選択し、前記制御コマンドを、操作を制御する装置に送信することを特徴とするリモートコントローラ。
【請求項２】
前記無線部は、低消費電力無線部と高速通信部とを備えることを特徴とする請求項１に記載のリモートコントローラ。
【請求項３】
前記低消費電力無線部は、Ｂｌｕｅｔｏｏｔｈプロトコル、Ｚｉｇｂｅｅプロトコル、およびＩｒＤＡ赤外線プロトコルを含むがこれらに限定されない無線通信プロトコルの１つを採用していることを特徴とする請求項２に記載のリモートコントローラ。
【請求項４】
前記高速通信部は、ＨｏｍｅＲＦプロトコル、ＵＷＢプロトコル、ＩＥＥＥ８０２．１１ｘプロトコル、ＩＥＥＥ８０２．１１ａプロトコル、ＩＥＥＥ８０２．１１ｂプロトコル、ＩＥＥＥ８０２．１１ｄプロトコル、ＩＥＥＥ８０２．１１．ｇプロトコル、ＩＥＥＥ８０２．１５プロトコル、ＩＥＥＥ８０２．１６プロトコル、ＩＥＥＥ８０２．３プロトコル、ＧＳＭプロトコル、ＧＰＲＳプロトコル、ＣＤＭＡプロトコル、２．５Ｇプロトコル、および３Ｇプロトコルを含むがこれらに限定されない無線通信プロトコルの１つを採用していることを特徴とする請求項２に記載のリモートコントローラ。
【請求項５】
前記低消費電力無線部の動作は、デフォルトモードとして予め設定されていることを特徴とする請求項２に記載のリモートコントローラ。
【請求項６】
前記制御部は、ユーザによって入力された制御コマンドおよび／または無線部により送信されたデータの特性に基づいて、前記少なくとも２つの無線通信モードから１つの対応する無線通信モードを選択することを特徴とする請求項１に記載のリモートコントローラ。
【請求項７】
無線で制御コマンドを送信するために、少なくとも２つの無線通信モードで動作可能なリモートコントローラと、
前記リモートコントローラにより送信された前記制御コマンドを受信または実行するための受信機または家電装置の１つと、
を備え、
前記リモートコントローラは、前記装置または前記受信機と無線で通信するために、前記制御コマンドに基づいて、前記少なくとも２つの無線通信モードから１つの無線通信モードを選択することを特徴とするデジタル家電装置用無線制御システム。
【請求項８】
前記リモートコントローラは、低消費電力無線部と高速通信部を設けて動作させることにより、前記少なくとも２つの無線通信モードを実現することを特徴とする請求項７に記載のシステム。
【請求項９】
前記低消費電力無線部と前記高速通信部は、制御部の制御に基づいて切替可能であることを特徴とする請求項８に記載のシステム。
【請求項１０】
前記低消費電力無線部は、Ｂｌｕｅｔｏｏｔｈプロトコル、Ｚｉｇｂｅｅプロトコル、およびＩｒＤＡ赤外線プロトコルを含むがこれらに限定されない無線通信プロトコルの１つを採用していることを特徴とする請求項８に記載のシステム。
【発明の詳細な説明】
【技術分野】
【０００１】
本発明は、デジタル家電機器用の無線制御システムに関する。
【背景技術】
【０００２】
デジタルテレビ、デジタル冷蔵庫、デジタルオーディオ、デジタルセットトップボックスなどの装置を含むデジタル家電機器は、家電機器と関連するデジタル技術の発展と共に発展してきている。インテリジェント制御を行うことが可能なデジタル装置は、従来の家電機器のそれよりも、さらに強力な機能を示し、人々の生活を、便利で彩りのあるものにすることが可能である。たとえば、デジタルテレビは、高い解像度を有する画像とビデオオンデマンドの機能を提供する。無線ネットワークと情報技術の発展により、家電機器のさまざまな装置は、そのそれぞれは、独立して動くが、もはや人々の要求を満たすことができない。さまざまな装置が互いに通信できるようにデジタル家電ネットワークを構成することが望ましい。たとえば、コンピュータに記憶されたビデオおよび／または画像のファイルは、コンピュータのディスプレイに表示され、コンピュータに記憶されたオーディオファイルは、デジタルオーディオで再生され、そしてリモートコントロールは、インターネットを経由して実現される。
【０００３】
テレビなどの家電装置の必須の構成要素の１つであるリモートコントローラに関する従来技術は、技術的に成熟しており、周知の技術である。既存のリモートコントローラは、通常、キー部と、符号化部と、無線送信部と、電源部と、を備える。しかしながら、リモートコントローラは、関連する装置における専門的な機能を行うよう設計されている。たとえば、従来のテレビのリモートコントローラは、チャンネル選択、オートサーチ、シャットダウンタイマー、リッスンオンリーモード、明るさ調整、色調整、音量調整などの機能を行う。複数の装置が制御される場合、復数のリモートコントローラが必要とされる。さまざまな装置が無線通信プロトコルを介して制御可能となるように、デジタル家電ネットワークにおけるコントロールセンターとして機能するユニバーサルリモートコントローラが開発されている。デジタル家電ネットワークにおけるそれぞれの装置は、無線部を含んでいる。この無線部は、他のステーションサイトからパケットデータが送信されているかどうかを、モニタリングチャネルの信号の強度変化に応じて判断するために（物理チャネルにおいて、データは搬送波信号によって伝送される）、データ伝送の有無に関わらず、常に待機状態にある。このため、無線部は、たとえ何も伝送されていない場合であっても、絶え間なく電力を消費している。それゆえ、デジタル家電機器の消費電力を低減することが望ましい。
【発明の開示】
【発明が解決しようとする課題】
【０００４】
従って、本発明の目的は、低消費電力のデジタル家電機器用の無線制御システムを提供することにある。
【課題を解決するための手段】
【０００５】
上記の目的は、少なくとも１つの装置を含むデジタル家電機器用の無線制御システムを提供することによって達成される。このシステムは、ワイヤレスで制御コマンドを送信するために、少なくとも２つの無線通信モードで動作可能なリモートコントローラと、リモートコントローラにより送信された制御コマンドを受信または実行する受信機または家電装置と、を備え、リモートコントローラは、前記装置または前記受信機とワイヤレスで通信するために前記制御コマンドに基づいて、少なくとも２つの無線通信モードから１つの無線通信モードを選択する。
【０００６】
リモートコントローラは、電源部と、入力部と、少なくとも２つの無線通信モードを備えた無線部と、少なくとも２つの無線通信モードから１つを選択する制御部と、を備えてもよい。制御部は、ユーザにより選択された制御コマンドに基づいて、少なくとも２つの無線通信モードから１つの無線通信モードを選択するとともに、装置の操作を制御するために、制御コマンドを当該装置に送信する。
【０００７】
従来技術と比較して、本発明に係るデジタル家電機器用の無線制御システムは、実行されるべき制御コマンドに基づいて無線通信モードを選択して切り替えることができるため、無線通信資源の浪費が避けられ、電力を削減することができる。
【発明を実施するための最良の形態】
【０００８】
本発明に係る少なくとも１つの装置を含んだデジタル家電機器用の無線制御システムは、無線制御コマンドを送信するリモートコントローラ１０と、リモートコントローラ１０からの無線制御コマンドを受信し、制御コマンドの制御のもとで機能する装置を制御する受信機２０と、を備える。デジタル家電機器における少なくとも１つの装置は、パーソナルコンピュータ、デジタルテレビ、デジタルオーディオなどであってよい。リモートコントローラ１０および受信機２０を備えた装置は、図１に示すように、デジタル家電ネットワークを構成する。装置は、リモートコントローラ１０および受信機２０を用いることによってワイヤレスで制御される。たとえば、コンピュータに保存されたビデオファイルおよびオーディオファイルは、リモートコントローラ１０の制御のもとでネットワークを介してデータを交換することによりそれぞれデジタルテレビに表示したり、デジタルオーディオで再生したりできる。
【０００９】
図２に示すように、リモートコントローラ１０は、制御部１０６と、無線部１０４と、インタフェース部１０２と、入力部１０８と、表示部１１２と、メモリ部１１０と、電源部１１４と、を備える。無線部１０４、インタフェース部１０２、入力部１０８、表示部１１２、メモリ部１１０、および電源部１１４のすべては、それぞれ制御部１０６に接続される。無線部１０４は、低消費電力無線部１１６と、高速通信部１１６８と、を含む。
【００１０】
制御部１０６は、リモートコントローラ１０のカーネル部であり、データの処理とシステム動作の制御を担当している。制御部１０６は、ＡＲＭ７２０Ｔ、ＳｔｒｏｎｇＡＲＭ、ＡＲＭ９２０Ｔ、およびＡＲＭ９２２Ｔなどのような、ＭＭＵ（ｍｅｍｏｒｙ  ｍａｎａｇｅｍｅｎｔ  ｕｎｉｔ：メモリ管理部）を有するＡＲＭチップを用いて実現されるコントローラを含む。制御部１０６は、リモートコントローラ１０のオペレーティングシステムを操作する。オペレーティングシステムは、ＷｉｎＣｅ、ＶｘＷｏｒｋｓ、および組み込みリナックスであってよい。
【００１１】
メモリ部１１０は、デジタル家電機器に用いられるデータソースとして機能するために、大容量のデータを記憶するように構成される。メモリ部１１０は、フラッシュメモリ、ＦＲＡＭ、ＭＲＡＭ、ＤＲＡＭ、ＳＤＲＡＭ、ＥＥＰＯＮ、ＳＲＡＭ、ＥＰＰＯＭ、Ｍｉｌｌｉｐｅｄｅなどのハードディスク、半導体記憶媒体、磁気記憶媒体、光記憶媒体により実現されうる。
【００１２】
インタフェース部１０２は、メモリ装置、ＰＣ（パーソナルコンピュータ）、その他のホスト装置をつなぐインタフェースを提供する。インタフェースは、ＣＦ、ＳＭ、ＭＭＣ、ＳＤ、ＭＳ、ＭＤ、Ｘ−Ｄ、およびＰＣＭＣＩＡなどのようなインタフェースの１つであってよい。インタフェースは、さらに、ＵＳＢ、ＩＥＥＥ１３９４、シリアルＡＴＡ、ＩＤＥ／ＳＣＳＩ、ＨｉｐｅｒＬＡＮ、Ｂｌｕｅｔｏｏｔｈ、ＩｒＤＡ、ＨｏｍｅＲＦ、ＩＥＥＥ８０２．１１ｘ、ＩＥＥＥ８０２．１１ａ、ＩＥＥＥ８０２．１１、ＩＥＥＥ８０２．１１ｄ、ＩＥＥＥ８０２．１１．ｇ、ＩＥＥＥ８０２．１５、ＩＥＥＥ８０２．１６、ＩＥＥＥ８０２．３、ＲＳ２３２、ＲＳ４８５、ＵＳＢ−ＯＴＧ、ＵＷＢ、ＰＯＩ、およびＵＲＡＴであってもよいが、ＧＳＭ、ＧＰＲＳ、ＣＤＭＡ、２．５Ｇ、３Ｇインタフェースおよびパラレルインタフェースの１つまたは複数を含んでもよい。インタフェース部１０２を介して、リモートコントローラ１０は、外部メモリ装置に記憶されたデータを読み込んだり、ＰＣおよびその他のホスト装置からデータをダウンロードしたり、読み込んだデータをメモリ部１１０に記憶したりすることができる。
【００１３】
無線部１０４は、低消費電力無線部１１６と、高速通信部１１８と、を含み、デジタル家電ネットワーク内において、ＰＣ、デジタルテレビ、デジタルオーディオなどのような受信機２０を有するデジタル装置間で無線通信を行う。低消費電力無線部１１６は、Ｂｌｕｅｔｏｏｔｈ、Ｚｉｇｂｅｅ、ＩｒＤＡなどのような通信プロトコルを採用してもよい。高速通信部１１８は、ＨｏｍｅＲＦ、ＵＷＢ、ＩＥＥＥ８０２．１１ｘ、ＩＥＥＥ８０２．１１ａ、ＩＥＥＥ８０２．１１ｂ、ＩＥＥＥ８０２．１１ｄ、ＩＥＥＥ８０２．１１ｇ、ＩＥＥＥ８０２．１５、ＩＥＥＥ８０２．１６、ＩＥＥＥ８０２．３、ＧＳＭ、ＧＰＲＳ、ＣＤＭＡ、２．５Ｇ、および３Ｇを含むがこられに限定されない１つまたは複数の無線通信プロトコルを採用してもよい。制御部１０６は、低消費電力無線部１１６と、高速通信部１１８とを切り替えることができる。デフォルトモードでは、低消費電力無線部１１６がオンされ、高速通信部１１８は、オフされる。説明のために、低消費電力無線部１１６は、赤外線モジュールによって例示され、高速通信部１１８は、ＩＥＥＥ８０２．１１通信モジュールによって例示される。
【００１４】
入力部１０８は、ユーザからのコマンドを受け付ける、キーボード、音声入力装置、タッチスクリーンなどのような入力端末装置に接続される。
【００１５】
表示部１１２は、ユーザの操作のために、リモートコントローラ１０のオペレーティングシステムのインタフェースを表示する。ＬＣＤ、ＣＲＴ、ＶＦＤ、ＬＣＭ、ＬＥＤ、およびＯＬＥＤなどのようなディスプレイが、表示部１１２に接続される。
【００１６】
電源部１１４は、リモートコントローラ１０に電力を供給する。リチウム電池のような電池が、リモートコントローラ１０に電力を供給するのに用いられてもよい。また、ＰＤＡやノートＰＣに給電するのと同じように、外部ＡＣ電源からの交流を、リモートコントローラ１０に給電するためのＡ／Ｄコンバータ（図２には図示せず）により変換することも可能である。
【００１７】
図３に示すように、リモートコントローラ１０の制御部１０６は、主制御部１０６１と、バッファ部１０６２と、インタフェース制御部１０６３と、電圧調整部１０６４と、ＥＥＰＲＯＭ１０６５と、を備える。これらは、すべて、バスに接続される。主制御部１０６１は、バッファ部１０６２およびインタフェース制御部１０６３にそれぞれ接続される。インタフェース制御部１０６３は、インタフェース部１０２に接続される。
【００１８】
主制御部１０６１は、インタフェース部１０２を制御し、バッファ部１０６２、ＥＥＰＲＯＭ１０６５、およびインタフェース制御部１０６３の間で、データ、コマンド、アドレス、ステイタス情報の交換を行う。制御部１０６は、起動されるべきプログラミングコードと、リモートコントローラ１０のオペレーティングシステムと、ＰＣ、デジタルテレビ、デジタルオーディオなどのデジタル家電機器の制御情報データベースと、を含む。プログラミングコードは、新しい機能をシステムに導入するために、実際の条件に応じて拡張可能である。リモートコントローラのソフトウェアは、たとえばインタフェース部１０２を介して外部の装置からアップグレードされたソフトウェアを入手することにより、アップグレード可能である。
【００１９】
バッファ部１０６２は、データをバッファリングするのに用いられ、ＳＲＡＭ、ＳＤＲＡＭ、ＤＤＲＡＭ、およびＲＤＲＡＭなどにより構成されてよい。
【００２０】
プログラム命令、およびインタフェース識別コードなどのプリセット情報、および製造者によって主制御部１０６１およびインタフェース制御部１０６３において動作するよう設定されたコマンドセットが、ＥＥＰＲＯＭ１０６５に格納される。
【００２１】
電圧調整部１０６４は、様々な動作モードの電圧条件を満たすようリモートコントローラ１０の電圧を調整するのに用いられる。
【００２２】
図４に示すように、受信機２０は、制御部２０２と、メモリ部２１０と、電源管理部２１４と、無線部２０４と、制御インタフェース部２１２と、を備える。メモリ部２１０、無線部２０４、電源管理部２１４、および制御インタフェース部２１２は、制御部２０２に接続される。
【００２３】
受信機２０がデジタル家電機器に組み込まれる場合、電源管理部２１４は、受信機２０に動作電圧を供給するために家電機器から電流を供給されてもよい。受信機２０が家電機器から独立した装置である場合、電源管理部２１４は、受信機２０に電圧を供給するために、別個の電源装置を有してもよい。
【００２４】
制御部２０２は、受信機２０のカーネル部であり、データの処理とシステムの動作の制御を担当している。
【００２５】
メモリ部２１０は、制御部２０２で起動される、または用いられる、プログラミングコードと即値データを格納するのに用いられる。
【００２６】
無線部２０４は、利用可能な無線ネットワークのいずれかにおいて、無線通信を行うことができる。具体的には、無線部２０４は、リモートコントローラ１０の無線部１０４とワイヤレスで通信を行うのに用いられる。無線部２０４は、さらに、低消費電力無線部２１６と、高速通信部２１８と、を含む。低消費電力無線部２１６は、Ｂｌｕｅｔｏｏｔｈ、Ｚｉｇｂｅｅ、ＩｒＤＡを含むがこれらに限定されない無線通信プロトコルに基づいた低消費電力通信方法により、リモートコントローラ１０の低消費電力無線部１１６と通信する。高速通信部２１８は、ＨｏｍｅＲＦ、ＵＷＢ、ＩＥＥＥ８０２．１１ｘ、ＩＥＥＥ８０２．１１ａ、ＩＥＥＥ８０２．１１ｂ、ＩＥＥＥ８０２．１１ｄ、ＩＥＥＥ８０２．１１ｇ、ＩＥＥＥ８０２．１５、ＩＥＥＥ８０２．１６、ＩＥＥＥ８０２．３、ＧＳＭ、ＧＰＲＳ、ＣＤＭＡ、２．５Ｇ、および３Ｇのうちの１つまたは複数を含むがこれらに限定されない無線通信プロトコルに基づいた高速無線通信方法により、リモートコントローラ１０の高速通信部１１８と通信する。
【００２７】
制御インタフェース部２１２は、受信機２０により受信されたリモートコントローラ１０からの制御コマンドを、操作する装置により識別される制御信号に変換するために用いられる。
【００２８】
図５に示すように、実施の形態に係るリモートコントローラ１０の低消費電力無線部１１６は、インタフェース部１１６２と、符号化部１１６４と、変調部１１６６と、送信部１１６８と、を備える。インタフェース部１１６２は、制御部１０６からバイナリの制御コマンドを受信し、受信したバイナリの制御コマンドを符号化部１１６４に入力する。符号化部１１６４は、受信したバイナリの制御コマンドを符号化し、符号化されたパルス信号を変調部１１６６に送信する。変調部１１６６は、パルス信号を受信して変調し、変調されたパルス信号を送信部１１６８に送信する。送信部１１６８では、１つまたは複数の赤外線ＬＥＤが、変調されたパルス信号を送信用の赤外線信号に変換することができる。
【００２９】
図６に示すように、実施の形態に係るリモートコントローラ１０の低消費電力無線部２１６は、受信部２１６２と、復調部２１６４と、復号化部２１６６と、インタフェース部２１６８と、を備える。受信部２１６２は、リモートコントローラ１０から赤外線信号を受信し、受信した赤外線信号を電気信号に変換し、電気信号を復調部２１６４に送信する。復調部２１６４は、電気信号を受信し、受信した電気信号を符号化されたパルス信号に復調し、符号化されたパルス信号を復号化部２１６６に送信する。復号化部２１６６は、続いて符号化されたパルス信号をバイナリのデジタル信号に複合化し、それをインタフェース部２１６８に送信する。インタフェース部２１６８は、バイナリのデジタル信号を制御部２０２に送信する。
【００３０】
リモートコントローラ１０の高速通信部１１８および受信機２０の高速通信部２１８がオンのとき、リモートコントローラ１０および受信機２０を有するさまざまな家電機器は、ＩＥＥＥ８０２．１１プロトコル、ＵＷＢプロトコル、ＧＳＭプロトコル、ＧＰＲＳプロトコル、ＣＤＭＡプロトコル、２．５Ｇプロトコル、３Ｇプロトコルなどのような１つまたは複数の無線通信プロトコルによって、ワイヤレスのデジタル家電ネットワークを構成する。装置は、ＰＣ、デジタルテレビ、デジタルオーディオなどであってよい。説明のために、リモートコントローラ１０および装置によって構成されるデジタル家電ネットワークは、たとえばＩＥＥＥ８０２．１１通信プロトコルに従うものとする。ＩＥＥＥ８０２．１１通信プロトコルは、２つの無線ローカルオペレーティングモード、すなわち、アドホックモードとインフラストラクチャモードを定めている。
【００３１】
図７は、アドホックモードにおけるワイヤレスローカルネットワークを示す概念図である。ネットワーク内のそれぞれのワークステーションは、互いに同等に通信を行うことができる。実施の形態では、リモートコントローラ１０は、ワイヤレスローカルネットワークをイニシャライズするイニシャルワークステーションとして設定される。その一方で、リモートコントローラ１０とＰＣ、デジタルテレビ、デジタルオーディオなどを含む装置は、デジタル家電ネットワークを形成する。リモートコントローラ１０は、ネットワークにおけるそれぞれの装置と、それぞれ同等に通信を行う。リモートコントローラ１０は、ネットワークにおけるこれらの装置を制御するコントロールセンターとして機能する。
【００３２】
図８は、インフラストラクチャモードにおけるワイヤレスローカルネットワークの構成を示す概念図である。この場合、リモートコントローラ１０は、アクセスポイント（ＡＰ）として機能し、ＰＣ、デジタルテレビ、デジタルオーディオ、などのようなネットワークにおける装置は、ワークステーションとして機能する。リモートコントローラ１０およびこれらの装置は、図６に示すようなスター型トポロジーのデジタル家電ネットワークを構成する。
【００３３】
インフラストラクチャモードでは、ＰＣ、デジタルテレビ、デジタルオーディオなどは、互いに直接通信することができない。その代わりに、装置間の通信信号は、ＡＰ、すなわち、リモートコントローラにより中継される。リモートコントローラ１０は、ネットワークにおけるさまざまな装置間の通信を管理する。この目的を達成するために、ＭＡＣフレームは、ソースアドレス、デスティネーションアドレス、およびアクセスポイントアドレスを備える。アクセスポイントアドレスは、リモートコントローラ１０のＭＡＣアドレスである。リモートコントローラ１０では、ブリッジコネクションテーブルが確立される。ネットワークにおける装置（ソースステーション）が他の装置（デスティネーションステーション）と通信しようとするとき、データフレームがまずリモートコントローラ１０に送信される。リモートコントローラ１０は、データフレームを受信し、データフレームからデスティネーションアドレスのＭＡＣアドレスを取り出し、ブリッジコネクションテーブルを検索することにより、取り出したＭＡＣアドレスを送信する。
【００３４】
デジタル家電ネットワークでは、リモートコントローラ１０は、ネットワークの装置間におけるブリッジコネクションだけでなく、ケーブルローカルネットワークへのコネクションも提供する。デジタル家電ネットワークは、ＰＣがローカルネットワークまたはインターネットにアクセスしたり、あるいは、ネットワークプリントのようなサービスを要求したりできるように、インターネットに接続することも可能である。また、インターネットのリソースは、デジタルテレビ上で閲覧することも可能である。
【００３５】
デジタル家電ネットワークの構成のために、ネットワークの装置は、リモートコントローラ１０を除いた追加的な手段を必要とすることなしに、互いに通信することが可能である。ネットワーク内におけるそれぞれの装置の情報は、リモートコントローラ１０により読み出すことが可能である。それゆえ、リモートコントローラ１０の受信範囲内において、すべての装置は、効率的に機能することができる。これにより、多くのリソースを確保でき、新たな装置を追加することによりネットワークを拡大でき、リモートコントローラの作動距離を増やすことができる。
【００３６】
図９に示すように、リモートコントローラ１０に電源が投入されると、ステップ７０１において、制御部１０６は初期化され、オペレーティングシステムが読み込まれる。オペレーティングシステムのユーザインタフェースは、表示部１１２に接続された表示端末に表示される。
【００３７】
ステップ７０３では、入力部１０８に接続された入力手段を通してユーザにより入力される制御コマンドを待つ。まず、ユーザは、入力手段により、制御される１つの装置を表すアイコンを選択する。制御部１０６は、ユーザインタフェース上に、選択された装置に関する全ての操作を表示する。ユーザは、入力手段を利用して操作の１つを選択する。入力部１０８は、選択された操作に基づいてオペレーティングシステムへ割り込み要求を送る。
【００３８】
オペレーティングシステムが割り込み要求を受けた後に、処理は、ステップ７０５に進む。ステップ７０５では、オペレーティングシステムは、リモートコントローラ１０の高速通信部１１８および受信機２０の高速通信部２１８を作動させるか否か、ユーザの選択に基づいて決定する。
【００３９】
リモートコントローラ１０の高速通信部１１８および受信機２０の高速通信部２１８を作動させるか否かは、無線部１０４により送信されるデータの特性に依存する。テレビのチャンネル、ボリューム、画面の色調などを調整する操作のような送信すべきデータが大きくない場合には、高速通信部１１８および高速通信部２１８を作動させる必要はない。
【００４０】
高速通信部１１８および高速通信部２１８が作動されなかった場合には、処理は、ステップ７１９へ進む。ステップ７１９では、制御部１０６は、選択された操作を実行するために、低消費電力無線部１１６を制御して対応する制御コマンドを送信する。詳細には、低消費電力無線部１１６のインタフェース部１１６２は、制御部１０６からバイナリの制御コマンドを受信し、その後、受信したバイナリの制御コマンドを符号化部１１６４に入力する。符号化部１１６４は、受信したバイナリの制御コマンドを符号化し、その後、符号化されたパルス信号を変調部１１６６に送信する。変調部１１６６は、パルス信号を受信して変調し、その後、変調された信号を送信部１１６８に送信する。送信部１１６８は、変調された信号を受信し、変調された信号を赤外線信号に変換するために１つまたは複数の赤外線ＬＥＤを作動させ、赤外線信号を送信する。その後、処理は、データフレームの送信が成功したか否かを判定するステップ７１７に進む。
【００４１】
無線部が作動された場合、処理は、ステップ７０６に進む。ステップ７０６では、リモートコントローラ１０は、高速通信部１１８を作動させ、高速通信部２１８を作動させるために、低消費電力無線部１１６によって受信機２０に作動コマンドを送信する。
【００４２】
処理は、サブ処理を開始するステップ７０７へ進む。
【００４３】
ステップ７０９では、対応する装置の制御コード情報を読み出すために、サブ処理は、装置制御情報にアクセスする。
【００４４】
ステップ７１１では、制御コード情報は、制御部１０６によって処理され、その後、無線部１０４に送信される。
【００４５】
ステップ７１３では、高速通信部１１８は、制御コード情報をデータフレームとしてパケット化する。
【００４６】
ステップ７１５では、データフレームは、高速通信部１１８の物理レイヤインタフェースを介して、対応する受信機２０の高速通信部２１８に送信される。
【００４７】
ステップ７１７では、データフレームの送信が成功したか否かが判定される。
【００４８】
成功の場合、サブ処理は、ステップ７２３へ戻る。ステップ７２３では、無線部１０４は、割り込みを実行するために、制御部１０６に対して割り込み要求を送る。
【００４９】
ステップ７２５では、オペレーティングシステムは、無線部１０４のドライバプログラムにより設定された割り込みプログラムのアドレスに基づいて、対応する中断を行うためのドライバプログラムを呼び出す。
【００５０】
その後、ステップ７２７では、オペレーティングシステムは、ユーザインタフェースに、操作の成功を示す情報を表示する。処理は、その後、制御コマンドを待つためにステップ７０３に戻る。この場合、ユーザインタフェースは、制御コマンドの待ち受け状態に戻る。
【００５１】
ステップ７１７において送信が成功しなかった場合、ステップ７２２において、無線部１０４は、割り込み要求を制御部１０６に送る。
【００５２】
ステップ７２４では、オペレーティングシステムは、無線部１０４のドライバプログラムにより設定された割り込みプログラムのアドレスに基づいて、対応する割り込みを実行するためのドライバプログラムを呼び出す。
【００５３】
ステップ７２６では、オペレーティングシステムは、ユーザインタフェースに、操作の失敗を示す情報を表示する。処理は、その後、制御コマンドを待つためにステップ７０３に戻り、ユーザインタフェースは、制御コマンドの待ち受け状態へと戻る。
【００５４】
以下においては、受信機２０の作業プロセスについて説明する。
【００５５】
ステップ７１９においてリモートコントローラ１０が制御コマンドを送信した場合（すなわち、本実施の形態においては、送信が低消費電力無線部１１６を通じて行われた場合）、受信機２０は、低消費電力無線部２１６により制御コマンドを受信する。具体的には、受信部２１６２は、リモートコントローラ１０の低消費電力無線部１１６から赤外線信号を受信し、受信した赤外線信号を電気信号に変換する。電気信号は、さらに復調部２１６４に送信される。復調部２１６４は、受信し、受信した電気信号を符号化されたパルス信号へと復調し、符号化されたパルス信号を復号化部２１６６に送信する。復号化部２１６６は、符号化されたパルス信号をバイナリのデジタル信号に複合化する。このバイナリのデジタル信号は、さらにインタフェース部２１６８に送信される。インタフェース部２１６８は、さらなる利用のために、バイナリのデジタル信号を制御部２０２に送信する。制御部２０２は、デジタル家電機器を制御して、制御コマンドどおりに動作させる。
【００５６】
リモートコントローラ１０が、受信機２０を制御して高速通信部２１８を作動させるために低消費電力無線部１１６により制御コマンドを送信した場合、高速通信部１１８もまた作動され、データフレームを送信する。この場合、受信機２０は、以下のように動作する。
【００５７】
図１０に示すように、受信機２０を備えたデジタル家電機器は、リモートコントローラ１０から送信された制御コマンドを受信した後に、ステップ８００にて処理が開始される。
【００５８】
ステップ８００では、低消費電力無線部２１６は、リモートコントローラ１０の低消費電力無線部１１６から作動コマンドを受信し、その後、受信した作動コマンドを制御部２０２に送信する。制御部２０２は、さらに高速通信部２１８を作動させる。
【００５９】
その後、ステップ８０１では、高速通信部２１８は、リモートコントローラ１０の高速通信部１１８により送信されたデータフレームを受信する。
【００６０】
ステップ８０３では、高速通信部２１８は、受信したデータフレームをデパケット化し、パケット化されていないデータフレームから生じたペイロードを、さらなる利用のために制御部２０２へ送信する。
【００６１】
ステップ８０５では、制御部２０２は、受信したペイロードを処理して制御情報を取得し、取得した制御情報を制御インタフェース部２１２に送信する。
【００６２】
その後、ステップ８０７では、制御部２０２は、デジタル家電機器に識別されるよう制御情報を変換する。
【００６３】
最後に、ステップ８０９において、制御部２０２は、デジタル家電機器を制御して、対応する制御情報どおりに動作させる。
【００６４】
リモートコントローラ１０および受信機２０は、デジタル家電ネットワークにおけるデジタル家電の全ての機能を制御するために、上述の制御を行う。たとえば、リモートコントローラ１０は、デジタルテレビを制御して、チャンネルを変えたり、ボリュームを調整したりする。また、リモートコントローラ１０は、ユーザメモリ部１１０に記憶された画像若しくはテキストファイルがデジタルテレビで表示されるように、デジタル家電機器に対してデータリソースを提供する。また、ＰＣからのデータは、メモリ部１１０またはインタフェース部１０２に接続されたメモリ装置に記憶される。
【００６５】
リモートコントローラが、デジタルテレビを制御してチャンネルの切替およびボリュームの調整を行う方法は、当業者にとっては公知であるので、ここでは詳細については記載しない。次に、リモートコントローラ１０とデジタル家電機器との間でデータを交換する処理について記載する。この実施の形態は、メモリ部１１０に記憶されたデータをデジタルテレビに表示する処理、およびＰＣからワイヤレスで受信したデータをメモリ部１１０に記憶する処理を示すものである。
【００６６】
以下の説明は、リモートコントローラ１０が、インタフェース部１０２に接続された記憶装置に記憶されたデータを読み出し、読み出したデータをメモリ部１１０に記憶するといった処理に関する。
【００６７】
外部記憶装置がインタフェース部１０２に接続されると、インタフェース制御部１０６３は、記憶装置が従う通信プロトコルおよび記憶装置の電気的特性を検出して識別する。識別が失敗した場合、インタフェース制御部１０６３は、主制御部１０６１に割り込み要求を送り、さらに主制御部１０６１は、制御部１０６に接続の失敗を知らせる。制御部１０６は、表示部１１２のユーザインタフェースに対応するエラー情報を表示する。識別が成功した場合、主制御部１０６１は、電圧調整部１０６４に制御コマンドを送り、さらに電圧調整部１０６４は、記憶装置に動作電圧を供給する。いったん記憶装置が電源を供給されると、記憶装置は、読み取り専用状態となる。
【００６８】
その一方で、ユーザは、入力部１０８に接続された入力端末装置を使って、記憶装置の内容を表示するコマンドを選択するようリモートコントローラ１０を操作する。リモートコントローラ１０の制御部１０６は、選択されたコマンドを特定の制御コマンドに変換し、その制御コマンドは、さらに制御部１０６の主制御部１０６１に送信される。主制御部１０６１は、受信した制御信号をもとに、制御コマンドをインタフェース制御部１０６３に送信する。それから、記憶部に記憶されたデータが読み込まれ、インタフェース制御部１０６３により主制御部１０６１に送信される。主制御部１０６１は、データをメモリ部１１０に記憶し、中断処理を行うようオペレーティングシステムに要求する。その後、オペレーティングシステムは、中断プログラムを実行してデータをユーザが認識可能なドキュメント情報に変換する。これは、表示端末装置のユーザインタフェースに表示される。
【００６９】
以下、メモリ部１１０またはインタフェース部１０２に接続された記憶装置に記憶されたデータを、デジタルテレビに表示する処理について説明する。
【００７０】
ユーザは、リモートコントローラ１０の入力端末装置を使用して、メモリ部１１０に記憶された表示されたデータを選択する。リモートコントローラ１０の表示部１１２は、オペレーティングシステムのユーザインタフェースによって、メモリ部１１０に記憶されたユーザが認識可能なドキュメント情報を表示する。ユーザは、リモートコントローラ１０の入力端末装置を使用して、デジタルテレビに送信して表示するドキュメントを選択し、ドキュメントを表示するデジタルテレビのアイコンを選択する。
【００７１】
上記の選択をもとに、オペレーティングシステムは、選択された操作を実行するために、リモートコントローラ１０の高速通信部１１８および受信機２０の高速通信部２１８を作動させるか否か決定する。作動させると決定した場合、高速通信部１１８は作動され、高速通信部２１８を作動させる作動コマンドが、低消費電力無線部１１６により受信機２０に送信される。オペレーティングシステムは、制御されるデジタルテレビの制御コード情報を得るために、装置制御情報データベースにアクセスする。制御コード情報は、制御部１０６により処理され、その後高速通信部１１８に送信される。高速通信部１１８は、さらに制御コード情報をデータフレームにパケット化する。データフレームは、それから高速通信部１１８の物理インタフェースレイヤにより、デジタルテレビの受信機２０の高速通信部２１８に送信される。高速通信部２１８は、受信したデータフレームをデパケット化し、デパケット化されたデータフレームから得たペイロードを制御部２０２に送信する。制御部２０２は、受信したペイロードを処理し、制御情報を得る。制御情報は、さらに制御インタフェース部２１２に送信される。制御インタフェース部２１２は、デジタルテレビがリモートコントローラ１０から送信されたデータを受信することができるように、制御情報をデジタル家電機器により識別可能な制御信号に変換する。
【００７２】
その後、メモリ部１１０またはインタフェース部１０２に接続された記憶装置に記憶されたデータは、リモートコントローラ１０の制御部１０６により読み込まれる。データフレームは、それから、リモートコントローラ１０の高速通信部１１８から、デジタルテレビの受信機２０の高速通信部２１８へ、ワイヤレスで送信される。高速通信部２１８は、受信したデータフレームをデパケット化し、デパケット化されたデータフレームから得られたペイロードを制御部２０２に送信する。制御部２０２は、さらに、受信したペイロードを処理して、ペイロードに含まれたデータ情報をメモリ部２１０にバッファリングする。バッファリングされたデータ情報は、その後、デジタルテレビのスクリーンに表示される。
【００７３】
データ情報は、リモートコントローラ１０によって、ワイヤレスで送信され、その後セットトップボックスを経由してアナログテレビに表示されてもよい。この処理は、メモリ部１１０に記憶されたコンテンツをデジタルテレビに表示するのに用いられる処理と類似しているため、ここでは詳細には記載しない。
【００７４】
以下、ＰＣからワイヤレスでデータを取得し、取得したデータをメモリ部１１０またはインタフェース部１０２に接続された記憶装置に記憶する処理について説明する。
【００７５】
ユーザは、リモートコントローラ１０の入力端末装置を使用して、オペレーティングシステムのユーザインタフェース上のＰＣのアイコンを選択する。それから、ユーザインタフェースは、ＰＣから読み込まれたドキュメントの全てのアイコンを表示する。ユーザは、対応するドキュメントをＰＣから取得し、対応するドキュメントをメモリ部１１０またはインタフェース部１０２に接続された記憶装置に格納するコマンドを選択するために、入力端末装置を使用してドキュメントアイコン（それは、対応するドキュメントを選択して、メモリ部１１０内に格納するために用いられる）を選択する。その後、オペレーティングシステムは、リモートコントローラ１０の高速通信部１１８を作動させ、それから、高速通信部２１８を作動させるために、低消費電力無線部１１６により受信機１０を制御する作動コマンドを送信する。リモートコントローラ１０のオペレーティングシステムは、それから情報データベースを制御する装置にアクセスして、対応する制御コード情報を取得する。制御コード情報は、制御部１０６により処理され、それから無線部１０４に送信される。無線部１０４は、さらに制御コード情報をデータフレームにパケット化する。データフレームは、その後、物理インタフェースレイヤによってＰＣの受信機２０の無線部２０４に送信される。無線部２０４は、受信したデータフレームをデパケット化し、デパケットされたデータフレームから得られたペイロードを、さらなる利用のために受信機２０の制御部２０２に送信する。ペイロードに含まれる制御情報は、制御部２０２により取得されて処理され、その結果、選択されたドキュメントのデータが処理され、高速通信部２１８に送信される。高速通信部２１８は、さらに、送信のためにデータをデータフレームにパケット化する。リモートコントローラ１０の高速通信部１１８は、データフレームを受信してデパケット化し、そこに含まれるペイロードを、さらなる処理を行うために主制御部１０６に送信する。そして、主制御部１０６は、ドキュメントをメモリ部１１０またはインタフェース部１０２に接続された記憶装置に記憶する。
【００７６】
また、リモートコントローラ１０は、プリンタを制御して、リモートコントローラ１０のメモリ部１１０またはインタフェース部１０２に接続された記憶装置に記憶されたドキュメントをプリントするために用いられてもよい。この目的を達成するために、プリンタは、プリンタがワイヤレスネットワークプリンタとして動作できるように、ワイヤレスネットワークサーバとして機能する無線部を有することが必要である。具体的なプリントの処理は、デジタルテレビにドキュメントを表示するのに用いられる処理と類似するため、ここでは詳細には記載しない。
【００７７】
上記において好適な実施の形態について説明したが、さまざまな変形例および改良が本発明の精神と範囲から逸脱することなくなされることは、当業者であれば理解されるところである。
【図面の簡単な説明】
【００７８】
【図１】本発明に係るデジタル家電ネットワークを示す図である。
【図２】本発明に係るデジタル家電機器用無線制御システムに用いられるリモートコントローラのブロック図である。
【図３】本発明の無線制御システムに係るリモートコントローラの制御部のブロック図である。
【図４】本発明に係る受信機のブロック図である。
【図５】本発明に係るリモートコントローラの低消費電力無線部のブロック図である。
【図６】本発明に係る受信機の低消費電力無線部のブロック図である。
【図７】アドホックモードにおけるワイヤレスローカルネットワークの構成を示す概念図である。
【図８】インフラストラクチャモードにおけるアクセスポイントを持ったワイヤレスローカルネットワークの構成を示す概念図である。
【図９】本発明に係るデジタル家電機器がワイヤレスで制御される処理を示すフローチャートである。
【図１０】本発明に係る受信機の動作を示すフローチャートである。
【図１】
2007529918.tif 000003
【図２】
2007529918.tif 000004
【図３】
2007529918.tif 000005
【図４】
2007529918.tif 000006
【図５】
2007529918.tif 000007
【図６】
2007529918.tif 000008
【図７】
2007529918.tif 000009
【図８】
2007529918.tif 000010
【図９】
2007529918.tif 000011
【図１０】
2007529918.tif 000012
【手続補正書】
【提出日】平成19年2月5日(2007.2.5)
【手続補正１】
【補正対象書類名】特許請求の範囲
【補正対象項目名】請求項１
【補正方法】変更
【補正の内容】
【請求項１】
電源部と入力部を含んだ、デジタル家電装置を制御するためのリモートコントローラであって、
少なくとも２つの無線通信モードで動作する無線部と、
前記少なくとも２つの無線通信モードから１つを選択する制御部と、
を備え、
前記制御部は、ユーザにより入力された制御コマンドに基づいて前記少なくとも２つの無線通信モードから１つの無線通信モードを選択し、前記制御コマンドを、操作を制御する装置に送信することを特徴とするリモートコントローラ。
【手続補正２】
【補正対象書類名】特許請求の範囲
【補正対象項目名】請求項７
【補正方法】変更
【補正の内容】
【請求項７】
無線で制御コマンドを送信するために、少なくとも２つの無線通信モードで動作可能なリモートコントローラと、
前記リモートコントローラにより送信された前記制御コマンドを受信して実行するための受信機と、
を備え、
前記リモートコントローラは、前記装置または前記受信機と無線で通信するために、前記制御コマンドに基づいて、前記少なくとも２つの無線通信モードから１つの無線通信モードを選択することを特徴とするデジタル家電装置用無線制御システム。
【手続補正３】
【補正対象書類名】明細書
【補正対象項目名】０００２
【補正方法】変更
【補正の内容】
【０００２】
デジタルテレビ、デジタル冷蔵庫、デジタルオーディオ、デジタルセットトップボックスなどの装置を含むデジタル家電機器は、家電機器と関連するデジタル技術の発展と共に発展してきている。インテリジェント制御行うことが可能なデジタル装置は、従来の家電機器のそれよりも、さらに強力な機能を示し、人々の生活を、便利で彩りのあるものにすることが可能である。たとえば、デジタルテレビは、高い解像度を有する画像とビデオオンデマンドの機能を提供する。無線ネットワークと情報技術の発展により、家電機器のさまざまな装置は、そのそれぞれは、独立して動くが、もはや人々の要求を満たすことができない。さまざまな装置が互いに通信できるようにデジタル家電ネットワークを構成することが望ましい。たとえば、コンピュータに記憶されたビデオおよび／または画像のファイルは、デジタルテレビのディスプレイに表示され、コンピュータに記憶されたオーディオファイルは、デジタルオーディオで再生され、そしてリモートコントロールは、インターネットを経由して実現される。
【手続補正４】
【補正対象書類名】明細書
【補正対象項目名】０００５
【補正方法】変更
【補正の内容】
【０００５】
上記の目的は、少なくとも１つの装置を含むデジタル家電機器用の無線制御システムを提供することによって達成される。このシステムは、ワイヤレスで制御コマンドを送信するために、少なくとも２つの無線通信モードで動作可能なリモートコントローラと、リモートコントローラにより送信された制御コマンドを受信して実行する受信機と、を備え、リモートコントローラは、前記装置または前記受信機とワイヤレスで通信するために前記制御コマンドに基づいて、少なくとも２つの無線通信モードから１つの無線通信モードを選択する。
【手続補正５】
【補正対象書類名】明細書
【補正対象項目名】０００６
【補正方法】変更
【補正の内容】
【０００６】
リモートコントローラは、電源部と、入力部と、少なくとも２つの無線通信モードを備えた無線部と、少なくとも２つの無線通信モードから１つを選択する制御部と、を備えてもよい。制御部は、ユーザにより入力された制御コマンドに基づいて、少なくとも２つの無線通信モードから１つの無線通信モードを選択するとともに、装置の操作を制御するために、制御コマンドを当該装置に送信する。
【手続補正６】
【補正対象書類名】明細書
【補正対象項目名】０００９
【補正方法】変更
【補正の内容】
【０００９】
図２に示すように、リモートコントローラ１０は、制御部１０６と、無線部１０４と、インタフェース部１０２と、入力部１０８と、表示部１１２と、メモリ部１１０と、電源部１１４と、を備える。無線部１０４、インタフェース部１０２、入力部１０８、表示部１１２、メモリ部１１０、および電源部１１４のすべては、それぞれ制御部１０６に接続される。無線部１０４は、低消費電力無線部１１６と、高速通信部１１８と、を含む。
【手続補正７】
【補正対象書類名】明細書
【補正対象項目名】００１２
【補正方法】変更
【補正の内容】
【００１２】
インタフェース部１０２は、外部メモリ装置、ＰＣ（パーソナルコンピュータ）、その他のホスト装置をつなぐインタフェースを提供する。インタフェースは、ＣＦ、ＳＭ、ＭＭＣ、ＳＤ、ＭＳ、ＭＤ、Ｘ−Ｄ、およびＰＣＭＣＩＡなどのようなインタフェースの１つであってよい。インタフェースは、さらに、ＵＳＢ、ＩＥＥＥ１３９４、シリアルＡＴＡ、ＩＤＥ／ＳＣＳＩ、ＨｉｐｅｒＬＡＮ、Ｂｌｕｅｔｏｏｔｈ、ＩｒＤＡ、ＨｏｍｅＲＦ、ＩＥＥＥ８０２．１１ｘ、ＩＥＥＥ８０２．１１ａ、ＩＥＥＥ８０２．１１、ＩＥＥＥ８０２．１１ｄ、ＩＥＥＥ８０２．１１．ｇ、ＩＥＥＥ８０２．１５、ＩＥＥＥ８０２．１６、ＩＥＥＥ８０２．３、ＲＳ２３２、ＲＳ４８５、ＵＳＢ−ＯＴＧ、ＵＷＢ、ＰＯＩ、およびＵＲＡＴであってもよいが、ＧＳＭ、ＧＰＲＳ、ＣＤＭＡ、２．５Ｇ、３Ｇインタフェースおよびパラレルインタフェースの１つまたは複数を含んでもよい。インタフェース部１０２を介して、リモートコントローラ１０は、外部メモリ装置に記憶されたデータを読み込んだり、ＰＣおよびその他のホスト装置からデータをダウンロードしたり、読み込んだデータをメモリ部１１０に記憶したりすることができる。
【手続補正８】
【補正対象書類名】明細書
【補正対象項目名】００１８
【補正方法】変更
【補正の内容】
【００１８】
主制御部１０６１は、インタフェース部１０２を制御し、バッファ部１０６２、ＥＥＰＲＯＭ１０６５、およびインタフェース制御部１０６３の間で、データ、コマンド、アドレス、ステイタス情報の交換を行う。制御部１０６１は、起動されるべきプログラミングコードと、リモートコントローラ１０のオペレーティングシステムと、ＰＣ、デジタルテレビ、デジタルオーディオなどのデジタル家電機器の制御情報データベースと、を含む。プログラミングコードは、新しい機能をシステムに導入するために、実際の条件に応じて拡張可能である。リモートコントローラのソフトウェアは、たとえばインタフェース部１０２を介して外部の装置からアップグレードされたソフトウェアを入手することにより、アップグレード可能である。
【手続補正９】
【補正対象書類名】明細書
【補正対象項目名】００３２
【補正方法】変更
【補正の内容】
【００３２】
図８は、インフラストラクチャモードにおけるワイヤレスローカルネットワークの構成を示す概念図である。この場合、リモートコントローラ１０は、アクセスポイント（ＡＰ）として機能し、ＰＣ、デジタルテレビ、デジタルオーディオ、などのようなネットワークにおける装置は、ワークステーションとして機能する。リモートコントローラ１０およびこれらの装置は、図８に示すようなスター型トポロジーのデジタル家電ネットワークを構成する。
【手続補正１０】
【補正対象書類名】明細書
【補正対象項目名】００３３
【補正方法】変更
【補正の内容】
【００３３】
インフラストラクチャモードでは、ＰＣ、デジタルテレビ、デジタルオーディオなどは、互いに直接通信することができない。その代わりに、装置間の通信信号は、ＡＰ、すなわち、リモートコントローラにより中継される。リモートコントローラ１０は、ネットワークにおけるさまざまな装置間の通信を管理する。この目的を達成するために、ＭＡＣフレームは、ソースアドレス、デスティネーションアドレス、およびアクセスポイントアドレスを備える。アクセスポイントアドレスは、リモートコントローラ１０のＭＡＣアドレスである。リモートコントローラ１０では、ブリッジコネクションテーブルが確立される。ネットワークにおける装置（ソースステーション）が他の装置（デスティネーションステーション）と通信しようとするとき、データフレームがまずリモートコントローラ１０に送信される。リモートコントローラ１０は、ソースステーションからデータフレームを受信し、データフレームからデスティネーションアドレスのＭＡＣアドレスを取り出し、ブリッジコネクションテーブルを検索することにより、取り出したＭＡＣアドレスをデスティネーションステーションに送信する。
【手続補正１１】
【補正対象書類名】明細書
【補正対象項目名】００４１
【補正方法】変更
【補正の内容】
【００４１】
高速通信部１１８および高速通信部２１８が作動された場合、処理は、ステップ７０６に進む。ステップ７０６では、リモートコントローラ１０は、高速通信部１１８を作動させ、高速通信部２１８を作動させるために、低消費電力無線部１１６によって受信機２０に作動コマンドを送信する。
【手続補正１２】
【補正対象書類名】明細書
【補正対象項目名】００６４
【補正方法】変更
【補正の内容】
【００６４】
リモートコントローラ１０および受信機２０は、デジタル家電ネットワークにおけるデジタル家電の全ての機能を制御するために、上述の制御を行う。たとえば、リモートコントローラ１０は、デジタルテレビを制御して、チャンネルを変えたり、ボリュームを調整したりする。また、リモートコントローラ１０は、ユーザメモリ部１１０に記憶された画像若しくはテキストファイルがデジタルテレビで表示されるように、デジタル家電機器に対してデータリソースを提供する。また、ＰＣからのデータは、メモリ部１１０またはインタフェース部１０２に接続された外部メモリ装置に記憶される。
【手続補正１３】
【補正対象書類名】明細書
【補正対象項目名】００６６
【補正方法】変更
【補正の内容】
【００６６】
以下の説明は、リモートコントローラ１０が、インタフェース部１０２に接続された外部記憶装置に記憶されたデータを読み出し、読み出したデータをメモリ部１１０に記憶するといった処理に関する。
【手続補正１４】
【補正対象書類名】明細書
【補正対象項目名】００７５
【補正方法】変更
【補正の内容】
【００７５】
ユーザは、リモートコントローラ１０の入力端末装置を使用して、オペレーティングシステムのユーザインタフェース上のＰＣのアイコンを選択する。それから、ユーザインタフェースは、ＰＣから読み込まれたドキュメントの全てのアイコンを表示する。ユーザは、対応するドキュメントをＰＣから取得し、対応するドキュメントをメモリ部１１０またはインタフェース部１０２に接続された記憶装置に格納するコマンドを選択するために、入力端末装置を使用してドキュメントアイコン（それは、対応するドキュメントを選択して、メモリ部１１０内に格納するために用いられる）を選択する。その後、オペレーティングシステムは、リモートコントローラ１０の高速通信部１１８を作動させ、それから、高速通信部２１８を作動させるために、低消費電力無線部１１６により受信機２０を制御する作動コマンドを送信する。リモートコントローラ１０のオペレーティングシステムは、それから情報データベースを制御する装置にアクセスして、対応する制御コード情報を取得する。制御コード情報は、制御部１０６により処理され、それから無線部１０４に送信される。無線部１０４は、さらに制御コード情報をデータフレームにパケット化する。データフレームは、その後、物理インタフェースレイヤによってＰＣの受信機２０の無線部２０４に送信される。無線部２０４は、受信したデータフレームをデパケット化し、デパケットされたデータフレームから得られたペイロードを、さらなる利用のために受信機２０の制御部２０２に送信する。ペイロードに含まれる制御情報は、制御部２０２により取得されて処理され、その結果、選択されたドキュメントのデータが処理され、高速通信部２１８に送信される。高速通信部２１８は、さらに、送信のためにデータをデータフレームにパケット化する。リモートコントローラ１０の高速通信部１１８は、データフレームを受信してデパケット化し、そこに含まれるペイロードを、さらなる処理を行うために制御部１０６に送信する。そして、制御部１０６は、ドキュメントをメモリ部１１０またはインタフェース部１０２に接続された記憶装置に記憶する。
【国際調査報告】
2007529918.tif 000013
2007529918.tif 000014